(57)【特許請求の範囲】
【請求項１】
オフィスや家庭等の執務空間にて作業面の照度を確保するために使用される照明器具であって、
光源をなす照明装置が内蔵されるとともに、該照明装置から発生される光を案内する照射用開口部が形成された照明カバーと、
前記照明装置に電気的に接続され該照明装置のオン・オフを切り替え可能としたスイッチ部が設けられたスイッチユニットと、
を有し、
前記照射用開口部には、互いに対向して並行に延びる開口縁に案内レールが設けられ、
前記スイッチユニットには、前記案内レールに沿ってスライド可能に係合する第１係合部が形成され、
前記照射用開口部のうち前記スイッチユニットが取り付けられた部分を除く開口部分には、該開口部分を閉塞する透光性を有するカバー部材が配置され、
該カバー部材には、前記案内レールに沿ってスライド可能に係合する第２係合部が設けられ、
前記第１係合部を前記案内レールに係合させることで、前記スイッチユニットが前記照明カバーの前記照射用開口部に配置されるとともに、前記第２係合部を前記案内レールに係合させることで、前記カバー部材が前記照明カバーに取り付けられることを特徴とする照明器具。
【請求項２】
前記案内レールには、複数の前記カバー部材が係合可能であることを特徴とする請求項１に記載の照明器具。
【請求項３】
前記案内レールには、複数の前記スイッチユニットが係合可能であることを特徴とする請求項１または２に記載の照明器具。
【発明の詳細な説明】
【技術分野】
【０００１】
本発明は、オフィスや家庭等の執務空間にて、作業面の照度を確保するために使用される照明器具に関する。
【背景技術】
【０００２】
従来、オフィスや家庭等の執務空間にて、作業面の照度を確保するために使用される照明器具としては、カバー部材の内部に照明灯を収容して体裁を良好に収めると共に、カバー部材の下方に設けられた窓を介して照明光を照射させることによって照明としての機能を実現させているのが一般的となっている。
【０００３】
こうした照明器具においては、照明部が電源スイッチと近接して配置されて使用者が直感的に電源の位置を知ることができ、またはスイッチ機構をカバー部材内に収容して照明器具としての体裁を良好に収めることができる等の理由から、電源スイッチをタスクライト装置の照明部に配設する場合が多くなっている（例えば、特許文献１、２参照））。
【先行技術文献】
【特許文献】
【０００４】
【特許文献１】特開２００８−１２３８６３号公報
【特許文献２】特開２００７−０２６７２３号公報
【発明の概要】
【発明が解決しようとする課題】
【０００５】
しかしながら、従来の照明器具では、以下のような問題があった。
すなわち、特許文献１、２に示す照明器具にあっては、スイッチ機構をカバー材に直接設けているため、電源スイッチの位置を変更したい場合や、長さ寸法の大きな照明器具が求められ、これに応じて電源スイッチの数量を増やしたい場合等においては、それぞれに対応した専用のカバー部材を作成しなくてはならず、製造コストが増大するうえ、特殊な取り付け構造が必要になるといった問題があり、その点で改良の余地があった。
【０００６】
本発明は、上述する問題点に鑑みてなされたもので、簡単で且つ安価な構造で電源スイッチの取り付け位置の変更や取り付け数量の変更を好適に行うことができる照明器具を提供することを目的とする。
【課題を解決するための手段】
【０００７】
上記目的を達成するため、本発明に係る照明器具では、オフィスや家庭等の執務空間にて作業面の照度を確保するために使用される照明器具であって、光源をなす照明装置が内蔵されるとともに、照明装置から発生される光を案内する照射用開口部が形成された照明カバーと、照明装置に電気的に接続され照明装置のオン・オフを切り替え可能としたスイッチ部が設けられたスイッチユニットとを有し、照射用開口部には、互いに対向して並行に延びる開口縁に案内レールが設けられ、スイッチユニットには、案内レールに沿ってスライド可能に係合する第１係合部が形成され、前記照射用開口部のうち前記スイッチユニットが取り付けられた部分を除く開口部分には、該開口部分を閉塞する透光性を有するカバー部材が配置され、該カバー部材には、前記案内レールに沿ってスライド可能に係合する第２係合部が設けられ、前記第１係合部を前記案内レールに係合させることで、前記スイッチユニットが前記照明カバーの前記照射用開口部に配置されるとともに、前記第２係合部を前記案内レールに係合させることで、前記カバー部材が前記照明カバーに取り付けられることを特徴としている。
【０００８】
本発明では、照明カバーの照射用開口部に設けられている案内レールにスイッチユニットの第１係合部を係合させてスライドさせることで、スイッチユニットを照射用開口部の任意の位置に配置させることができる。このように、スイッチユニットがスライド方向に位置変更可能であるので、照明器具における電源スイッチの取り付け位置の変更が可能であり、また取り付け数量を変更することも容易に行うことができる。
また、照明カバーに案内レールを設け、スイッチユニットに第１係合部を設けるだけの構成であり、スイッチユニットの位置変更に必要な特殊な構造が不要であることから、安価な構造となる利点がある。
また、照明カバーの照射用開口部に設けられている案内レールにカバー部材の第２係合部を係合させてスライドさせることで、カバー部材を照射用開口部の任意の位置に配置させることができる。つまり、スイッチユニットが取り付けられていない照射用開口部にこのカバー部材を配置することで、照明装置が照射用開口部の開口から外部に露呈することがなく、照明器具としての見栄え、体裁を良好に収めることができる。
また、照射用開口部の全域をスイッチユニットとカバー部材で覆うことによって、スイッチユニットのスライド方向への移動が規制され、そのスイッチユニットを所定位置に位置決めすることができる。
【００１１】
また、本発明に係る照明器具では、案内レールには、複数のカバー部材が係合可能であってもよい。
また、本発明に係る照明器具では、案内レールには、複数のスイッチユニットが係合可能であってもよい。
本発明では、案内レールに複数のカバー部材や複数のスイッチユニットを配置させたり、あるいはカバー部材とスイッチユニットをそれぞれ適宜数配置させることができ、取り付け位置、取り付け数量等の変更に対するより様々な要望に対しても安価で柔軟に対応することができる。
【発明の効果】
【００１２】
本発明の照明器具によれば、簡単で且つ安価な構造で電源スイッチの取り付け位置の変更や取り付け数量の変更を好適に行うことができる。
【図面の簡単な説明】
【００１３】
【図１】本発明の実施の形態によるタスクライト装置の一例を示す斜視図である。
【図２】図１に示す照明部の斜視図である。
【図３】図１に示すタスクライト装置の側面図である。
【図４】タスクライト装置の概略分解斜視図である。
【図５】図４に示すタスクライト装置をさらに詳細に分解した斜視図である。
【図６】照明カバーの上面図である。
【図７】照明部の下面図である。
【図８】図７に示すＡ−Ａ線断面図である。
【図９】図７に示すＢ−Ｂ線断面図である。
【図１０】エンドカバーの平面図である。
【図１１】スイッチカバーを下方から見た図である。
【図１２】スイッチカバーの側面図である。
【発明を実施するための形態】
【００１４】
以下、本発明の実施の形態による照明器具について、図面に基づいて説明する。
【００１５】
図１および図２に示す本実施の形態によるタスクライト装置１（照明器具）は、オフィスや家庭等の執務空間にて作業面の照度を確保するために使用されるものである。
タスクライト装置１は、作業面Ｄａを有するデスクＤ（什器）に載置、もしくは取り付けられる設置部２と、設置部２から回動可能もしくは角度変更可能に延ばされたアーム３と、アーム３の先端部から連設された照明部４とを備えて概略構成されている。
ここで、デスクＤは、作業面Ｄａの前面に仕切り壁Ｄｂを有するとともに、この仕切り壁面Ｄｂの上縁に沿って延びる凹溝Ｄｃが設けられている。
【００１６】
図３に示すように、設置部２は、アーム３の基端部に回動可能に設けられるピン部材２１と、このピン部材２１を上方から挿入可能に支持するピン挿入部２２ａおよびデスクＤの凹溝Ｄｃに係合する係合部２２ｂを有するクランプ部２２と、を備えている。つまり、デスクＤの凹溝Ｄｃに係合部２２ｂを係合させることでクランプ部２２が固定され、そのピン挿入部２２ａにアーム３の基端部に設けられたピン部材２１を嵌入させることで、アーム３が設置部２を介してデスクＤに支持されることになる。
【００１７】
アーム３は、照明部４へ繋がる電源ケーブル５が内部に挿通されており、先端部に後述するスイッチユニット１０が支持されている。
【００１８】
図４および図５に示すように、照明部４は、光源をなすＬＥＤ基板４２（照明装置）が内蔵されるとともに、このＬＥＤ基板４２から発生される光を下方へ向けて案内する照射用開口部４１ａが形成された照明構成部４０と、ＬＥＤ基板４２の電源のオン・オフを切り替え可能とした非接触による赤外線センサー１１（スイッチ部）を備えたスイッチユニット１０とからなる。
【００１９】
先ず、ＬＥＤによる光源を備えた照明構成部４０について説明する。
照明構成部４０は、押出し成形により構成されるとともに照射用開口部４１ａを形成する照明カバー４１と、この照明カバー４１の内部に内蔵された前記ＬＥＤ基板４２と、ＬＥＤ基板４２の下面側に配置される反射板４３と、照射用開口部４１ａを塞ぐ透光性を有する透光板４４（カバー部材）と、照明カバー４１の両端部を閉塞するエンドカバー４５とを備えて概略構成されている。
【００２０】
図６乃至図９に示すように、照明カバー４１は、一方向に延びる長尺部材で上板部４１Ａとその幅方向両側から下方に向けて延びる側壁部４１Ｂ、４１Ｂとからなり、断面視（長手方向に直交する断面）において下方に開口する略コの字形状をなしている。照明カバー４１の照射用開口部４１ａには、互いに対向して配置された並行する開口縁に沿って係合溝４１ｂ（案内レール）が形成されている。この係合溝４１ｂには、後述するスイッチユニット１０の係合凸部１３ｃ、透光板４４の係合凸部４４ａ、エンドカバー４５の係止凸部４５ａが係合可能となっている。
【００２１】
そして、照明カバー４１の側壁部４１Ｂには、その内面において照射用開口部４１ａより上の部分から内空側に張り出すとともに、上方に向けて湾曲した張出カール部４１ｃが設けられている。この張出カール部４１ｃは、照明カバー４１の長手方向全体にわたって設けられ、その長手方向両端部の張出カール部４１ｃ内面に雌ねじ部（図示省略）が形成されている。この雌ねじ部は、エンドカバー４５を固定するためのビス４５ｅ（図５参照）を螺合させるためのものである。
また、側壁部４１Ｂには、光源から発生される熱を放熱するための溝４１ｄが設けられている。
【００２２】
図５に示すように、ＬＥＤ基板４２は、照明カバー４１の上板部４１Ａの下面に配置され、スイッチユニット１０を介して電源に繋がれており、基板下面に複数のＬＥＤが適宜な間隔をもって配置されている。
【００２３】
反射板４３は、ＬＥＤ基板４２のＬＥＤに対応する位置に開口が設けられ、幅方向中央が盛り上がった形状をなし、幅方向両端が照明カバー４１の張出カール部４１ｃの上端に係止した状態で、ＬＥＤ基板４２を照明カバー４１に押し付けることで下方より支持している。
【００２４】
図５、図７および図８に示す透光板４４は、その幅方向両側部に係合溝４１ｂに沿ってスライド可能に係合する係合凸部４４ａが形成されている。つまり、透光板４４は、その係合凸部４４ａを係合溝４１ｂに係合させつつ、照明カバー４１の長手方向端部の開口から差し込んで取り付けることができる構成となっている。なお、透光板４４は、照射用開口部４１ａのうちスイッチユニット１０が取り付けられた部分を除く開口部を閉塞する。
【００２５】
図４、図５および図１０に示すように、エンドカバー４５は、一端面側に照明カバー４１の係合溝４１ｂに係止する係止凸部４５ａ（第２係合部）が設けられ、上述した張出カール部４１ｃ（図８）の雌ねじ部に対応する位置にビス用の挿通孔４５ｂが形成されている。さらに、エンドカバー４５の他端面側には、凹陥部４５ｃが設けられ、この凹陥部４５ｃに例えばネームプレート等の閉塞部材４５ｄが嵌って取り付けられている。つまり、エンドカバー４５は、その係止凸部４５ａを係合溝４１ｂに係止させた状態で、凹陥部４５ｃ側からビス４５ｅを挿通孔４５ｂに挿通させつつ、張出カール部４１ｃの雌ねじ部に螺合させることで、照明カバー４１の長手方向端部の開口を塞ぐ構成となっている。
【００２６】
次に、照明部４を構成するスイッチユニット１０は、図４および図５に示すように、赤外線センサー１１を備えた制御基板１２と、この制御基板１２を内側に収容するとともに、赤外線センサー１１による赤外線を送受信するための開口部１３ａを有するスイッチカバー１３と、スイッチカバー１３に一体的に設けられアーム３の先端に回動可能に取り付け可能なアーム取付部１４とを備えている。
【００２７】
赤外線センサー１１は、下方に向かって照射した赤外線が他の物体に当たって反射された反射量に応じてＬＥＤ基板４２の電源のオン・オフを切り替えるものである。なお、この反射可能範囲（検出範囲）は例えば１０ｃｍ程度に設定することができる。例えば、赤外線センサー１１の検出範囲で手をかざすことで、センサーのスイッチがオン・オフされ、これによりＬＥＤ基板４２の電源の入り切りを行うことができる。
【００２８】
図１１および図１２に示すように、スイッチカバー１３は、長手方向の一端側に前記開口部１３ａが配置され、アーム取付部１４が取り付けられる他端側の部分に電源ケーブル５（図５参照）用の貫通穴１３ｂが設けられ、さらに幅方向両側部に照明カバー４１の係合溝４１ｂに沿ってスライド可能に係合する係合凸部１３ｃ（第１係合部）が形成されている。そして、スイッチカバー１３の開口部１３ａには、赤外線を透過することが可能なセンサーカバー１３ｄ（図５）が嵌め込まれている。
つまり、スイッチカバー１３は、制御基板１２を収容した状態で、その係合凸部１３ｃを係合溝４１ｂに係合させつつ、照明カバー４１の長手方向端部の開口から差し込んでスライドさせて照明カバー４１の任意の位置に取り付けることができる構成となっている。なお、スイッチカバー１３は、その長手方向両側に上述した透光板４４、あるいはエンドカバー４５が配置されることにより、スライド方向への移動が規制され、所定位置で固定されることになる。
【００２９】
図４および図５に示すアーム取付部１４は、アーム３の軸方向（長手方向）に直交する方向の回転軸１４ａを有し、この回転軸１４ａを中心にして回動可能であり、これにより照明部４全体がアーム３の先端に対して角度変更可能に連結されている。そして、アーム取付部１４は、アーム３がセンサーカバー１３ｄ（赤外線センサー１１）の下方に位置しないようにアーム３に対する可動範囲が、公知の規制構造によって規制されている。
【００３０】
次に、上述したタスクライト装置１の作用について、図面に基づいて詳細に説明する。
図４、図５、図７乃至図９に示すように、照明カバー４１の照射用開口部４１ａに設けられている係合溝４１ｂにスイッチユニット１０の係合凸部１３ｃを係合させてスライドさせることで、スイッチユニット１０を照射用開口部４１ａの任意の位置に配置させることができる。このように、スイッチユニット１０がスライド方向に位置変更可能であるので、照明器具における電源スイッチの取り付け位置の変更が可能であり、また取り付け数量を変更することも容易に行うことができる。
また、照明カバー４１に係合溝４１ｂを設け、スイッチユニット１０に係合凸部１３ｃを設けるだけの構成であり、スイッチユニット１０の位置変更に必要な特殊な構造が不要であることから、安価な構造となる利点がある。
【００３１】
さらに、照明カバー４１の照射用開口部４１ａに設けられている係合溝４１ｂに透光板４４の係合凸部４４ａを係合させてスライドさせることで、透光板４４を照射用開口部４１ａの任意の位置に配置させることができる。つまり、スイッチユニット１０が取り付けられていない照射用開口部４１ａにこの透光板４４を配置することで、ＬＥＤ基板４２が照射用開口部４１ａの開口から外部に露呈することがなく、タスクライト装置１としての見栄え、体裁を良好に収めることができる。
また、照射用開口部４１ａの全域をスイッチユニット１０と透光板４４で覆うことによって、スイッチユニット１０のスライド方向への移動が規制され、そのスイッチユニット１０を所定位置に位置決めすることができる。
【００３２】
上述のように本実施の形態による照明器具では、簡単で且つ安価な構造で電源スイッチの取り付け位置の変更や取り付け数量の変更を好適に行うことができる。
【００３３】
以上、本発明による照明器具の実施の形態について説明したが、本発明は上記の実施の形態に限定されるものではなく、その趣旨を逸脱しない範囲で適宜変更可能である。
例えば、本実施の形態では照明カバー４１の照射用開口部４１ａに係合溝４１ｂを設け、この係合溝４１ｂに対応するようにスイッチユニット１０に係合凸部１３ｃ、透光板４４に係合凸部４４ａ、およびエンドカバー４５に係止凸部４５ａを設けているが、このような構成に限定されることはなく、照射用開口部４１ａ側の案内レールを凸部とし、スイッチユニット１０、透光板４４、およびエンドカバー４５側を凹溝としても良い。
【００３４】
また、本実施の形態では１つの照明カバー４１に対して１つのスイッチユニット１０と１枚の透光板４４を取り付けた構成としているが、これに限定されることはなく、１つの照明カバー４１に対して例えば係合溝４１ｂに複数の透光板４４、４４、…や複数のスイッチユニット１０、１０、…を配置させたり、あるいは透光板４４とスイッチユニット１０をそれぞれ適宜数配置させることができ、取り付け位置、取り付け数量等の変更に対するより様々な要望に対しても安価で柔軟に対応することができる。
【００３５】
また、本実施の形態ではスイッチユニット１０においてスイッチカバー１３にアーム取付部１４を一体的に設けた構造としているが、アーム取付部１４はスイッチカバー１３に対して別体で設けてもかまわない。
また、タスクライト装置１のデスクＤなどの構造体に対する固定方法は、本実施の形態のような設置部２に限定されることはなく、取り付ける対象の構造体に合わせた設置部構造を採用することが可能である。要は、アーム３を備えた照明部４からなるタスクライト装置１が本願発明の適用範囲となるのである。
【００３６】
さらに、本実施の形態では、ＬＥＤ基板４２を反射板４３によって下方から支持する構造としているが、これに限定されることはなく、例えば接着により照明カバー４１の上板部４１Ａの下面に取り付けても良い。或いは、透光板４４側に予めＬＥＤ基板４２を固定させた構成であってもかまわない。この場合、透光板４４の取り付けとともにＬＥＤ基板４２を同時に配置することができるので、透光板４４とＬＥＤ基板４２との位置決め作業をなくすことができる。
【００３７】
さらにまた、本実施の形態では近接感知センサーとして赤外線センサー１１を採用しているが、これに制限されず、他の周波数による電磁波を用いたセンサーを適用しても良い。
そして、本実施の形態では赤外線センサー１１の検知範囲において、赤外線を遮る時間に応じて段階的に照度を変化させる構成としているが、このような照度変化機能を用いない構成であってもかまわない。
【００３８】
さらに、タスクライト装置１の照明構成部４０、スイッチユニット１０の各部の形状、寸法等の構成は、条件に応じて適宜設定することが可能である。
その他、本発明の趣旨を逸脱しない範囲で、上記した実施の形態における構成要素を周知の構成要素に置き換えることは適宜可能である。
【符号の説明】
【００３９】
１  タスクライト装置（照明器具）
２  設置部
３  アーム
４  照明部
１０  スイッチユニット
１１  赤外線センサー（スイッチ部）
１２  制御基板
１３  スイッチカバー
１３ａ  開口部
１３ｃ  係合凸部（第１係合部）
１３ｄ  センサーカバー
１４  アーム取付部
４０  照明構成部
４１  照明カバー
４１ａ  照射用開口部
４１ｂ  係合溝（案内レール）
４２  ＬＥＤ基板（照明装置）
４４  透光板（カバー部材）
４４ａ  係合凸部（第２係合部）
４５  エンドカバー
４５ａ  係止凸部
Ｄ  デスク
【図１】
0005624853.tif 000002
【図２】
0005624853.tif 000003
【図３】
0005624853.tif 000004
【図４】
0005624853.tif 000005
【図５】
0005624853.tif 000006
【図６】
0005624853.tif 000007
【図７】
0005624853.tif 000008
【図８】
0005624853.tif 000009
【図９】
0005624853.tif 000010
【図１０】
0005624853.tif 000011
【図１１】
0005624853.tif 000012
【図１２】
0005624853.tif 000013